(57)【要約】【課題】スタビライザ部材の軸受部に対する接触音やがたつきの発生を抑制することができ、しかも製造効率を向上させることができるスイッチ装置及び該スイッチ装置を備えるキーボード装置を提供する。【解決手段】キースイッチ２２Ａは、キートップ２４とベースプレート３４との間に支持されるスタビライザ部材２８を備える。スタビライザ部材２８は、キートップ２４の下面２４ａ側に回転可能に支持される第１軸部２８ａと、第１軸部２８ａの回転軸と平行な回転軸を有し、ベースプレート３４の上面３４ａ側に設けられた軸受部４０に回転可能に支持される第２軸部２８ｃとを有する。メンブレンシート３６は、平面視で第２軸部２８ｃが設けられる位置に対応する位置に切欠形状部４２を有する下部接点シート３６ｂと、下部接点シート３６ｂよりも上層で切欠形状部４２を覆う上部接点シート３６ａと、を少なくとも有する。【選択図】図５
2019185086.tif 000002
【特許請求の範囲】
【請求項１】
ベースプレートと、該ベースプレートの上面に積層された複層構造のメンブレンシートと、該メンブレンシートの上面側で上下動可能に設けられた押しボタンと、を備え、前記押しボタンが押下操作された場合に前記メンブレンシートによって前記押下操作が検出されるスイッチ装置であって、
前記押しボタンと前記ベースプレートとの間に支持されるスタビライザ部材を備え、
前記スタビライザ部材は、前記押しボタンの下面側で回転可能に支持される第１軸部と、該第１軸部の回転軸と平行な回転軸を有し、前記ベースプレートの上面側に設けられた軸受部で回転可能に支持される第２軸部と、を有し、
前記メンブレンシートは、平面視で前記第２軸部が設けられる位置に対応する位置に切欠形状部を有する第１シートと、前記第１シートよりも上層で前記切欠形状部を覆う第２シートと、を少なくとも有することを特徴とするスイッチ装置。
【請求項２】
請求項１に記載のスイッチ装置において、
前記メンブレンシートは、前記第１シートと、前記第２シートと、該第１シートと該第２シートとの中間層の第３シートとを有する３層構造であり、
前記第３シートは、平面視で前記第２軸部が設けられる位置に対応する位置に切欠形状部を有し、
前記メンブレンシートは、前記第２シートの下面側に前記切欠形状部による前記第１シート及び前記第３シートの厚み分の高さを持った空間が形成されていることを特徴とするスイッチ装置。
【請求項３】
請求項１又は２に記載のスイッチ装置において、
前記第２軸部は、前記第１軸部の両端部を該第１軸部の軸方向と直交する方向に屈曲させたアーム部の端部を、前記第１軸部と平行するように該第１軸部側に屈曲させることにより、前記第１軸部の両端側に一対設けられており、
前記軸受部は、前記一対の第２軸部のそれぞれに対応するように対向した位置で一対設けられており、
前記切欠形状部は、少なくとも前記アーム部と前記第２軸部との屈曲部に重なる位置に配置されていることを特徴とするスイッチ装置。
【請求項４】
請求項１〜３のいずれか１項に記載のスイッチ装置において、
前記軸受部は、前記第２軸部の軸方向と直交する方向に延びた長孔を有し、
前記長孔に前記第２軸部が挿入されることにより、前記第２軸部をその軸方向と直交する方向に移動可能な状態で支持していることを特徴とするスイッチ装置。
【請求項５】
請求項１〜４に記載のスイッチ装置を備えるキーボード装置であって、
当該キーボード装置は、複数のキースイッチのうち、少なくとも一部が前記スタビライザ部材を備える前記スイッチ装置で構成されており、
前記ベースプレート及び前記メンブレンシートは、前記複数のキースイッチに共用されていることを特徴とするキーボード装置。
【発明の詳細な説明】
【技術分野】
【０００１】
本発明は、スイッチ装置及び該スイッチ装置を備えるキーボード装置に関する。
【背景技術】
【０００２】
パーソナルコンピュータ（ＰＣ）等の電子機器に用いられるキーボード装置は、ベースプレートと、ベースプレートの上面に設けられたメンブレンシートと、ベースプレートの上面側で上下動可能に配設される複数のキースイッチとを備えた構成が広く用いられている。
【０００３】
一般的なキーボード装置では、例えばスペースキーやシフトキーには、他のキースイッチのキートップに比べて幅広なキートップが用いられている。このような幅広のキートップは、押下操作を受けた場合にねじれや傾きを生じることがある。そうすると、キートップが安定して上下動せず、操作性や操作品質が低下するだけでなく、押下操作の検出に不具合が出る可能性もある。
【０００４】
そこで、例えば特許文献１には、スペースキーとベースプレートとの間に金属製の棒状部材であるスタビライザ部材を設け、キートップの上下動を安定化させた構成が開示されている。
【先行技術文献】
【特許文献】
【０００５】
【特許文献１】特開２０１２−２２４７３号公報
【発明の概要】
【発明が解決しようとする課題】
【０００６】
ところで、金属製のスタビライザ部材を設けたキースイッチでは、通常、金属製のベースプレートの一部を切り起こした軸受部でスタビライザ部材の端部を軸支している。この際、スタビライザ部材と軸受部との間には、その製造公差を吸収するための隙間が設計上設けられるため、キートップが押下操作されると、軸受部とスタビライザ部材との間では金属同士の接触音やがたつきを生じることになる。
【０００７】
そこで、従来は、例えば軸受部とスタビライザ部材との間にグリースを塗布し、金属音やがたつきの発生を抑制することも行われている。ところが、グリースを用いる場合は、グリースの塗布作業の手間がかかり、製造効率が低下する。また、グリースが作業者の手や他の部品にグリースが付着した場合には、そのふき取り作業等も必要となり、製造効率が一層低下する。そして、このような問題は、キーボード装置のキースイッチ以外、例えば電子機器等に設けられる各種の押しボタン型のスイッチ装置においても同様に起こり得る。
【０００８】
本発明は、上記従来技術の課題を考慮してなされたものであり、スタビライザ部材の軸受部に対する接触音やがたつきの発生を抑制することができ、しかも製造効率を向上させることができるスイッチ装置及び該スイッチ装置を備えるキーボード装置を提供することを目的とする。
【課題を解決するための手段】
【０００９】
本発明の第１態様に係るスイッチ装置は、ベースプレートと、該ベースプレートの上面に積層された複層構造のメンブレンシートと、該メンブレンシートの上面側で上下動可能に設けられた押しボタンと、を備え、前記押しボタンが押下操作された場合に前記メンブレンシートによって前記押下操作が検出されるスイッチ装置であって、前記押しボタンと前記ベースプレートとの間に支持されるスタビライザ部材を備え、前記スタビライザ部材は、前記押しボタンの下面側で回転可能に支持される第１軸部と、該第１軸部の回転軸と平行な回転軸を有し、前記ベースプレートの上面側に設けられた軸受部で回転可能に支持される第２軸部と、を有し、前記メンブレンシートは、平面視で前記第２軸部が設けられる位置に対応する位置に切欠形状部を有する第１シートと、前記第１シートよりも上層で前記切欠形状部を覆う第２シートと、を少なくとも有する。
【００１０】
このような構成によれば、押しボタンが押下操作されると、スタビライザ部材の第２軸部は、軸受部で支持された状態で下方への押圧を受ける。この際、メンブレンシートは、平面視で第２軸部が設けられる位置に対応する位置に切欠形状部を有する第１シートと、第１シートよりも上層で切欠形状部を覆う第２シートとを少なくとも有する。このため、メンブレンシートは、第２軸部によって切欠形状部を覆う第２シートが押圧されると、この第２シートがトランポリン構造のクッションとなって弾性変形する。その結果、第２軸部と軸受部との間での金属音等の動作音やがたつきの発生が抑制される。しかも当該スイッチ装置では、第２軸部と軸受部との間での接触音やがたつきの発生を抑制するために、その間にグリースを塗布する必要がない。このため、グリースの塗布作業が不要となって製造効率が向上する。
【００１１】
前記メンブレンシートは、前記第１シートと、前記第２シートと、該第１シートと該第２シートとの中間層の第３シートとを有する３層構造であり、前記第３シートは、平面視で前記第２軸部が設けられる位置に対応する位置に切欠形状部を有し、前記メンブレンシートは、前記第２シートの下面側に前記切欠形状部による前記第１シート及び前記第３シートの厚み分の高さを持った空間が形成された構成としてもよい。そうすると、最上層の第２シートの下方に第１シート及び第３シートの２層分の高さの空間が形成されるため、スタビライザ部材に対するメンブレンシートのクッション性能が一層向上する。
【００１２】
前記第２軸部は、前記第１軸部の両端部を該第１軸部の軸方向と直交する方向に屈曲させたアーム部の端部を、前記第１軸部と平行するように該第１軸部側に屈曲させることにより、前記第１軸部の両端側に一対設けられており、前記軸受部は、前記一対の第２軸部のそれぞれに対応するように対向した位置で一対設けられており、前記切欠形状部は、少なくとも前記アーム部と前記第２軸部との屈曲部に重なる位置に配置された構成としてもよい。そうすると、押しボタンが押下操作され、スタビライザ部材が回転動作する際、第２軸部の回転支点となる屈曲部をメンブレンシートで安定して支持することができる。このため、第２軸部と軸受部との間での接触音やがたつきの発生を一層抑制できる。
【００１３】
前記軸受部は、前記第２軸部の軸方向と直交する方向に延びた長孔を有し、前記長孔に前記第２軸部が挿入されることにより、前記第２軸部をその軸方向と直交する方向に移動可能な状態で支持した構成としてもよい。そうすると、押しボタンが押下操作され、スタビライザ部材の第２軸部が軸受部の長孔内を移動した際の動作音やがたつきの発生を抑制できる。
【００１４】
本発明の第２態様に係るキーボード装置は、上記構成のスイッチ装置を備えるキーボード装置であって、当該キーボード装置は、複数のキースイッチのうち、少なくとも一部が前記スタビライザ部材を備える前記スイッチ装置で構成されており、前記ベースプレート及び前記メンブレンシートは、前記複数のキースイッチに共用されている。これにより、複数のキースイッチを有し、各キースイッチが連続的に操作された際にキーボード装置で発生する騒音を抑制できる。
【発明の効果】
【００１５】
本発明の上記態様によれば、スタビライザ部材の軸受部に対する接触音やがたつきの発生を抑制することができ、しかも製造効率を向上させることができる。
【図面の簡単な説明】
【００１６】
【図１】図１は、本発明の一実施形態に係るキーボード装置を備える電子機器を上から見下ろした図である。
【図２】図２は、幅広のキートップを有するキースイッチの構成を模式的に示した側面断面図である。
【図３】図３は、スタビライザ部材の構成を示す斜視図である。
【図４】図４は、スタビライザ部材の取り付け前の状態での軸受部及びその周辺部の構成を模式的に示す要部拡大斜視図である。
【図５】図５は、スタビライザ部材を取り付けた後の状態での軸受部及びその周辺部の構成を模式的に示す要部拡大斜視図である。
【図６】図６は、メンブレンシートによるスタビライザ部材の第２軸部の支持状態を模式的に示す側面図である。
【図７】図７は、第１変形例に係るメンブレンシートによるスタビライザ部材の第２軸部の支持状態を模式的に示す側面図である。
【図８】図８は、第２変形例に係るメンブレンシートによるスタビライザ部材の第２軸部の支持状態を模式的に示す側面図である。
【図９】図９は、第３変形例に係るメンブレンシートによるスタビライザ部材の第２軸部の支持状態を模式的に示す側面図である。
【発明を実施するための形態】
【００１７】
以下、本発明に係るスイッチ装置について、この装置を備えるキーボード装置及び電子機器を例示して好適な実施の形態を挙げ、添付の図面を参照しながら詳細に説明する。
【００１８】
図１は、本発明の一実施形態に係るキーボード装置１０を備える電子機器１２を上から見下ろした図である。電子機器１２は、キーボード装置１０を設けた本体筐体１４と、ディスプレイ１６を設けたディスプレイ筐体１８とをヒンジ２０で開閉可能に連結したノート型ＰＣである。本実施形態では、キーボード装置１０をノート型ＰＣである電子機器１２に設けた構成を例示するが、キーボード装置１０は、例えばデスクトップ型ＰＣに使用する外付けのキーボード装置であってもよい。
【００１９】
以下、キーボード装置１０について、図１に示すように電子機器１２に搭載された状態を基準とし、手前側を前、奥側を後、厚み方向を上下、幅方向を左右と呼んで説明する。
【００２０】
キーボード装置１０は、複数のキースイッチ２２Ａ，２２Ｂを有する。図１に示すように、キースイッチ２２Ａは左右方向に幅広のキートップ２４を有し、キースイッチ２２Ｂは左右方向に幅狭のキートップ２６を有する。幅広のキートップ２４を有するキースイッチ２２Ａは、例えばスペースキー、シフトキー、タブキー、キャプスロックキー、バックスペースキー、エンターキー等である。幅狭のキートップ２６を有するキースイッチ２２Ｂは、例えばアルファベットキー、数字キー等である。
【００２１】
キートップ２４，２６は、樹脂製の薄板部材である。キースイッチ２２Ａは、幅広のキートップ２４でのねじれや傾きを防止するため、スタビライザ部材２８を搭載している。
【００２２】
図２は、幅広のキートップ２４を有するキースイッチ２２Ａの構成を模式的に示した側面断面図である。なお、幅狭のキートップ２６を有するキースイッチ２２Ｂは、スタビライザ部材２８を備えていない以外、基本的な構成は図２に示すキースイッチ２２Ａと同一又は同様である。
【００２３】
図２に示すように、キースイッチ２２Ａは、キートップ２４と、ガイド機構３０と、ラバードーム３２と、一対のスタビライザ部材２８，２８と、ベースプレート３４と、メンブレンシート３６とを備える。
【００２４】
キートップ２４は、使用者が指先で押下操作する押しボタンである。ガイド機構３０は、ベースプレート３４の上面３４ａ側でのキートップ２４の上下動をガイドする。ガイド機構３０は、例えばキートップ２４の下面２４ａとベースプレート３４の上面３４ａとの間に架け渡されたパンタグラフ機構である。ガイド機構３０は、メンブレンシート３６の各所に形成された貫通孔を通してベースプレート３４の上面３４ａ上に着地している。ラバードーム３２は、シリコーンゴム等の可撓性を有する弾性材料で形成されたドーム形状部材であり、メンブレンシート３６とキートップ２４との間に配設されている。ラバードーム３２は、キートップ２４が押下された際にメンブレンシート３６を押圧すると共に、キートップ２４の押下操作が解除された際にキートップ２４を元の位置に復帰させる弾性部材である。
【００２５】
ベースプレート３４は、ガイド機構３０やスタビライザ部材２８、メンブレンシート３６等の取付板である。ベースプレート３４は、例えば板厚０．３ｍｍのステンレス板やアルミニウム板等、金属製の薄板部材に切り起こし成形や打ち抜き成形を施したものである。ベースプレート３４及びメンブレンシート３６は、キーボード装置１０の略全域に亘って設けられており、全てのキースイッチ２２Ａ，２２Ｂで共用されている。
【００２６】
本実施形態の場合、ベースプレート３４の下面側には、バックライトシート３８が積層されている。バックライトシート３８は、ＬＥＤ素子等の光源から発せられた光を導光して反射することにより、各キートップ２４を下面側から照射する。バックライトシート３８は省略してもよく、代わりに防水シート等を設けてもよい。
【００２７】
メンブレンシート３６は、ベースプレート３４の上面３４ａ上に積層されている。メンブレンシート３６は、最上層の上部接点シート（第２シート）３６ａと最下層の下部接点シート（第１シート）３６ｂとの間に、中間層のスペーサシート（第３シート）３６ｃを挟んだ３層構造のシート状部材である。上部接点シート３６ａ及び下部接点シート３６ｂは、スペーサシート３６ｃによって形成された内部空間を挟んで対向する面にそれぞれ所定の導電パターンを有する。メンブレンシート３６は、キートップ２４が押下操作された場合に、ラバードーム３２によって押下された上部接点シート３６ａが弾性変形する。その結果、上部接点シート３６ａ側の導電パターン（可動接点）が下部接点シート３６ｂ側の導電パターン（固定接点）に当接して接点を閉じ、これによりキー種類に応じた所定の入力信号が出力される。メンブレンシート３６は、例えばクシ歯スイッチパターンが形成された接点シート（第２シート）を別のシート（第１シート）上に積層し、ラバードーム３２の代わりに設けたメタルドームスイッチが接触することでスイッチ回路が形成される２層構造のシート状部材でもよい。
【００２８】
スタビライザ部材２８は、キートップ２４とベースプレート３４との間に支持されている。本実施形態の場合、スタビライザ部材２８は、１つのキースイッチ２２Ａに対して前後方向で一対設けられている。一対のスタビライザ部材２８，２８は、同一形状のものが前後方向で対称配置されている。スタビライザ部材２８は、１つのキースイッチ２２Ａに対して１本のみ搭載されてもよい。
【００２９】
図３は、スタビライザ部材２８の構成を示す斜視図である。
【００３０】
図２及び図３に示すように、スタビライザ部材２８は、ステンレスやアルミニウム等の細い金属製の棒状部材を略Ｃ字状に形成したものである。スタビライザ部材２８は、第１軸部２８ａと、一対のアーム部２８ｂ，２８ｂと、一対の第２軸部２８ｃ，２８ｃとを有する。
【００３１】
第１軸部２８ａは、左右方向に延びた長尺な棒状部分である。キートップ２４の下面２４ａには、前後方向で一対の係合部２４ｂ，２４ｂが設けられている。各スタビライザ部材２８の第１軸部２８ａは、各係合部２４ｂに対して回転可能に、且つ軸方向に交差する方向に移動不能な状態で係合している。これにより第１軸部２８ａは、左右方向に沿った回転軸で回転する。
【００３２】
各アーム部２８ｂは、第１軸部２８ａの両端部を第１軸部２８ａの軸方向と直交する方向に屈曲させた短尺な棒状部分である。各アーム部２８ｂは、第１軸部２８ａと各第２軸部２８ｃとの間を繋いでいる。各アーム部２８ｂは、前後方向に沿って上下方向に傾斜するように配置される（図２参照）。
【００３３】
各第２軸部２８ｃは、各アーム部２８ｂの端部を第１軸部２８ａと平行するように第１軸部２８ａ側に屈曲させた短尺な棒状部分である。これにより、一対の第２軸部２８ｃ，２８ｃは、軸方向で同軸上に対向配置されると共に、第１軸部２８ａと平行な回転軸で回転する。ベースプレート３４の上面３４ａ側には、軸受部４０が切り起こし形成されている。軸受部４０は、前後一対のスタビライザ部材２８，２８に対応するように、前後方向に並んだ一対の長孔４０ａ，４０ａを有する。軸受部４０は、左右一対の第２軸部２８ｃ，２８ｃに対応するように、左右方向で一対設けられている。各第２軸部２８ｃは、左右の軸受部４０に対して軸受部４０，４０間の外側から内側に向かって挿入されている。つまり、左右の軸受部４０，４０は、左右のアーム部２８ｂ，２８ｂ間に位置している。これにより、第２軸部２８ｃは、長孔４０ａ内で回転可能に、且つ前後方向に移動可能な状態で支持されている。
【００３４】
図４は、スタビライザ部材２８の取り付け前の状態での軸受部４０及びその周辺部の構成を模式的に示す要部拡大斜視図である。図５は、スタビライザ部材２８を取り付けた後の状態での軸受部４０及びその周辺部の構成を模式的に示す要部拡大斜視図である。図６は、メンブレンシート３６によるスタビライザ部材２８の第２軸部２８ｃの支持状態を模式的に示す側面図である。なお、図４及び図５では、軸受部４０に形成された一対の長孔４０ａ，４０ａのうちの一方のみを図示すると共に、前後一対のスタビライザ部材２８，２８のうちの一方のみを図示している。また、図６では、軸受部４０及び他方のスタビライザ部材２８の第２軸部２８ｃの図示を省略している。
【００３５】
図４及び図５に示すように、軸受部４０は、ベースプレート３４を切り起こし形成されており、ベースプレート３４に形成された切抜き孔３４ａの側部で起立している。図４〜図６に示すように、メンブレンシート３６は、軸受部４０の側部に近接する位置まで延在しており、切抜き孔３４ａの縁部に沿う部分に切欠形状部４２を有する。
【００３６】
切欠形状部４２は、下部接点シート３６ｂ及びスペーサシート３６ｃの一部を、例えば平面視で矩形状や半円状等に切り欠いた形状であり、メンブレンシート３６の一縁部に向かって開口している。これにより、メンブレンシート３６は、切欠形状部４２が形成された部分では、残った上部接点シート３６ａの下面側に下部接点シート３６ｂ及びスペーサシート３６ｃの厚み分の高さを持った空間４２ａを有する。このため、上部接点シート３６ａは、空間４２ａを覆う部分が上下方向に円滑に弾性変形可能なトランポリン構造のクッション部４２ｂとなる。
【００３７】
切欠形状部４２は、メンブレンシート３６の一縁部に向かって開口した形状ではなく、全周がメンブレンシート３６及びベースプレート３４によって囲まれた中空形状であってもよい。切欠形状部４２の形成方法は、例えば予め切欠形状部４２の原型となる切欠形状を設けた下部接点シート３６ｂ及びスペーサシート３６ｃと、上部接点シート３６ａとを積層することによって形成される。つまり切欠形状部４２は、メンブレンシート３６の製造時に一体的に形成できるため、後加工等が不要で製造効率を低下させることがない。
【００３８】
図５及び図６に示すように、クッション部４２ｂ（切欠形状部４２）は、軸受部４０の長孔４０ａに挿入された第２軸部２８ｃとベースプレート３４の上面３４ａとの間に配置される。より具体的には、クッション部４２ｂ（切欠形状部４２）は、スタビライザ部材２８のアーム部２８ｂと第２軸部２８ｃとの間の屈曲部２８ｄ及びこの屈曲部２８ｄから長孔４０ａに挿入される手前の第２軸部２８ｃの下方に重なる位置に配置される。つまり、メンブレンシート３６は、キーボード装置１０の平面視で、第２軸部２８ｃが設けられる位置に対応する位置に切欠形状部４２（クッション部４２ｂ及び空間４２ａ）が配置される。
【００３９】
従って、当該キースイッチ２２Ａでは、キートップ２４が押下操作されていない初期状態において、第２軸部２８ｃはクッション部４２ｂと長孔４０ａの上部内壁面との間に当接支持されている。つまり、クッション部４２ｂが第２軸部２８ｃと長孔４０ａとの間の製造公差による隙間を埋めているため、スタビライザ部材２８のがたつきが抑制されている。
【００４０】
そして、キートップ２４が押下操作されると、スタビライザ部材２８は第１軸部２８ａが係合部２４ｂ内で回転しつつキートップ２４と共に下降する。そうすると、第２軸部２８ｃは、下方に押圧されつつ、長孔４０ａ内を前後方向に移動する。例えば図２において、前側のスタビライザ部材２８の第２軸部２８ｃは、長孔４０ａ内を後方に移動する。この際、第２軸部２８ｃは、クッション部４２ｂを下方に押圧して弾性変形させる。すなわち、クッション部４２ｂは、第２軸部２８ｃからの押圧力によって下側の空間４２ａ内へと円滑に撓むため、その反発力によって長孔４０ａとの間の製造公差による隙間を実質的に削減する。その結果、第２軸部２８ｃは、クッション部４２ｂによって長孔４０ａとの間の衝突やがたつきが常時抑制された状態で可動するため、第２軸部２８ｃと軸受部４０との間での金属音やがたつきの発生が抑制される。しかも当該キースイッチ２２Ａでは、第２軸部２８ｃと軸受部４０との間での金属音やがたつきの発生を抑制するために、その間にグリースを塗布する必要がない。このため、グリースの塗布作業が不要となって製造効率が向上する。
【００４１】
なお、スタビライザ部材２８は、第１軸部２８ａが係合部２４ｂによって前後方向に移動可能に且つ回転可能に支持され、第２軸部２８ｃが軸受部４０によって前後方向に移動不能に且つ回転可能に支持された構成であっても、クッション部４２ｂによる消音やがたつき抑制の効果が得られる。
【００４２】
クッション部４２ｂは、第２軸部２８ｃをアーム部２８ｂからの屈曲部２８ｄと共に支持している。これにより、キートップ２４が押下操作され、スタビライザ部材２８が回転動作する際、クッション部４２ｂ上での第２軸部２８ｃの回転支点となる屈曲部２８ｄをクッション部４２ｂで安定して支持することができる。このため、第２軸部２８ｃと軸受部４０との間での金属音やがたつきの発生を一層抑制できる。
【００４３】
なお、本発明は、上記した実施形態に限定されるものではなく、本発明の主旨を逸脱しない範囲で自由に変更できることは勿論である。
【００４４】
上記実施形態では、幅広のキートップ２４を有するキースイッチ２２Ａにのみスタビライザ部材２８を搭載した構成を例示したが、スタビライザ部材２８（及びクッション部４２ｂ）は、幅狭のキートップ２６を有するキースイッチ２２Ｂにも搭載可能である。
【００４５】
上記実施形態では、キーボード装置１０の各キースイッチ２２Ａにスタビライザ部材２８を搭載し、その第２軸部２８ｃをメンブレンシート３６のクッション部４２ｂで弾性支持した構成を例示した。このような構成は、キースイッチ以外のスイッチ装置、例えばキーボード装置に付設されるタッチパッドやポインティングスティックと連携する押しボタン等に適用することもできる。
【００４６】
上記実施形態では、３層構造のメンブレンシート３６の最下層及び中間層の各シート３６ｂ，３６ｃ（第１シート）に切欠形状部４２を設け、これを最上層の上部接点シート３６ａ（第２シート）で覆った構成を例示した。しかしながら、切欠形状部４２は、例えば最下層の下部接点シート３６ｂ（第１シート）のみに形成し、上部接点シート３６ａ及びスペーサシート３６ｃ（第２シート）をクッション部４２ｂとして機能させてもよい（図７参照）。また、切欠形状部４２は、例えば最上層及び最下層の各シート３６ａ，３６ｃ（第１シート）に形成し、中間層のスペーサシート３６ｃ（第２シート）をクッション部４２ｂとして機能させてもよい（図８参照）。さらに、切欠形状部４２は、例えば中間層のスペーサシート３６ｃ（第１シート）のみに形成し、最上層の上部接点シート３６ａをクッション部４２ｂ（第２シート）として機能させてもよい（図９参照）。２層構造のメンブレンシートの場合は、下層のシート（第１シート）に切欠形状部４２を形成し、これを上層のシート（第２シート）で覆えばよい。
【符号の説明】
【００４７】
１０  キーボード装置
１２  電子機器
２２Ａ，２２Ｂ  キースイッチ
２４，２６  キートップ
２４ａ  下面
２４ｂ  係合部
２８  スタビライザ部材
２８ａ  第１軸部
２８ｂ  アーム部
２８ｃ  第２軸部
２８ｄ  屈曲部
３４  ベースプレート
３４ａ  上面
３６  メンブレンシート
３６ａ  上部接点シート
３６ｂ  下部接点シート
３６ｃ  スペーサシート
４０  軸受部
４０ａ  長孔
４２  切欠形状部
４２ａ  空間
４２ｂ  クッション部
【図１】
2019185086.tif 000003
【図２】
2019185086.tif 000004
【図３】
2019185086.tif 000005
【図４】
2019185086.tif 000006
【図５】
2019185086.tif 000007
【図６】
2019185086.tif 000008
【図７】
2019185086.tif 000009
【図８】
2019185086.tif 000010
【図９】
2019185086.tif 000011